(57)【要約】      （修正有）【課題】容易に確実で大量に原料供給が可能で、微粉末の飛散もなく環境保全と連続定量供給が出来る植物性固形物原料と定量供給装置を提供する。【解決手段】植物性固形物原料は、丸形状又は角形状で、厚さは板状の形をした固形物である。定量供給装置２０＆２０′の供給板には、植物性固形物原料と同じ形状のいずれかの形の穴を単数又は複数に、植物性固形物原料の外形の大きさより少し大き目に穴を開けて、供給板の板厚は、植物性固形物原料の厚さより少し薄くした板厚としスライドさせる事を特徴とする。【選択図】図１
0003151791.tif 000002
【実用新案登録請求の範囲】
【請求項１】
植物性固形物原料と定量供給装置に於いて、植物性固形物原料の外形は丸形状又は角形状で、いずれも厚さは板状の形をした固形物であり、供給装置の一部分である供給板には、植物性固形物原料と同じ形状のいずれかの形の穴を単数又は複数に、植物性固形物原料の外形の大きさより少し大き目に穴を明けて、供給板の板厚は、植物性固形物原料の厚さより少し薄くした板厚としスライドさせる事を特徴とする、植物性固定物原料と定量供給装置。
【請求項２】
植物性固形物原料と定量供給装置に於いて、供給板のスライドは、空圧式又は油圧式又は電動式による駆動の、いずれかの方式でスライドさせる事を特徴とする、請求項１に記載の植物性固形物原料と定量供給装置。
【請求項３】
植物性固形物原料と定量供給装置に於いて、下部に定量供給部と上部にストックビン（貯蔵ビン）とを配して、ストックビン（貯蔵ビン）の外周部の適当な位置には振動発生機を単数又は複数備え、中間部に緩衝筒を設けてなる事を特徴とする、請求項１〜２に記載の植物性固形物原料と定量供給装置。
【考案の詳細な説明】
【技術分野】
【０００１】  本考案は、圧縮成形プレスで加熱成形する容器の原料に使用する、植物性固形物原料と定量供給装置に関する。
【背景技術】
【０００２】  従来の圧縮成形プレス用植物性原料と定量供給装置に於いては、植物性原料は微粉末状態や麺生地（シート形状）又はシート形状を時間をかけてベーキングした状態が一般的であり、これらは量産には不向きで定量供給装置にも不都合であった。
【考案の開示】
【考案が解決しようとする課題】
【０００３】  しかし、これでは植物性原料が微粉末や麺生地（シート形状）状態の為に、いずれの原料も供給装置等にへばりつく事があり、シート状態のベーキングには長時間を要し、効率が悪く量産工場には不向きで、更には微粉末状態の物は成形金型に供給する際、微粉末が飛散し正確な供給が出来ないばかりか環境面でも悪い等の問題を解決する事を課題とする。
【課題を解決するための手段】
【０００４】  この課題を解決するための請求項１の考案は、植物性の粉末状又は細粒状の原料と粉末接着剤又は液状接着剤のいずれかと混合・混練・必要形状に造形計量・乾燥し固形物にする事で、供給装置等にへばりつく事を防止し、丸形状又は角形状で板厚状の植物性固形物原料と、供給板には、植物性固形物原料と同じいずれかの形状の少し大き目に明けた単数又は複数の穴を設け、板厚は植物性固形物原料の厚さより少し薄くした供給板をスライドさせる事で、植物性固形物原料を容易で確実に、成形金型に連続定量供給が出来て量産にも適し、微粉末の飛散もなく環境面でも安全で、問題を解決する。【０００５】  また、請求項２の考案は、請求項１に於いての供給板を空圧式又は油圧式又は電動式のいずれかの駆動装置を介してスライドさせる事で、原料の定量供給が正確にしかも、連続して可動が出来る事で、問題を解決する。【０００６】  更には、請求項３の考案は、下部に定量供給部と、上部にストックビン（貯蔵ビン）とを配して、中間部には緩衝筒を設け、上部のストックビン（貯蔵ビン）の外周部には単数又は複数に振動発生機を備え、ストックビン（貯蔵ビン）に供給貯蔵された植物性固形物原料が、ストックビン（貯蔵ビン）の下方の絞り部等で詰まらないように、振動発生機でストックビン（貯蔵ビン）に振動を与える事で、スムーズに原料が中間部の緩衝筒を通して、下部の定量供給装置に植物性固形物原料を縦向きに容易に整列させる事が出来る上に微粉末の飛散もなく、更には構造上密閉式にする事も可能で、環境保全と定量供給が容易に、しかも確実で多量生産にも対応出来る事で、問題を解決する。
【考案の効果】
【０００７】  よって、本考案の植物性固形物原料と定量供給装置の組み合わせにより、容易に確実で多量に原料供給が可能で、微粉末の飛散もなく環境保全と連続定量供給が出来て、成形品の多量生産にも貢献し効果は多大である。
【考案を実施する為の最良の形態】
【０００８】  図１に示すように、上部に植物性固形物原料Ｇ＆Ｇ´を貯蔵するストックビン（貯蔵ビン）１０を設けて、ストックビンの下方の搾り部１の外周に単数又は複数に振動発生機３を配し、中間部には緩衝筒２を備え、緩衝筒２の上端部と下端部の筒の形状は、植物性固形物原料のＧ＆Ｇ´の形状に合わせれば良く、下部の定量供給装置２０＆２０´には、スライド駆動装置３０を介して穴明き供給板６＆６´をスライドさせる構成にした構造で、成形金型が高温の為に装置の素材は緩衝筒２を除きスチール製が好ましい。
【図面の簡単な説明】
【０００９】
【図１】  本考案に係る植物性固形物原料と定量供給装置の構造の断面図である。
【図２】  本考案の定量供給装置部の供給板の丸穴明きのＡ−Ａ断面の矢視図である。
【図３】  本考案の定量供給装置部の供給板の角穴明きのＡ´−Ａ´断面の矢視図である。
【符号の説明】
【００１０】  １・・・ストックビンの下方絞り部
２・・・緩衝筒
３・・・振動発生機
４・・・上端部緩衝筒の固定金具
５・・・下端部緩衝筒の固定金具
６＆６´・・・穴明き供給板
７＆７´・・・植物性固形物原料の金型への供給口
１０・・・ストックビン（貯蔵ビン）
２０＆２０´・・・定量供給装置
３０・・・スライド駆動装置
Ｇ＆Ｇ´・・・植物性固形物原料
【図１】
0003151791.tif 000003
【図２】
0003151791.tif 000004
【図３】
0003151791.tif 000005
【手続補正書】
【提出日】平成21年4月6日(2009.4.6)
【手続補正１】
【補正対象書類名】実用新案登録請求の範囲
【補正対象項目名】全文
【補正方法】変更
【補正の内容】
【実用新案登録請求の範囲】
【請求項１】
植物性固形物原料と定量供給装置に於いて、植物性固形物原料の外形は丸形状又は角形状で、いずれも厚さは板状の形をした固形物であり、供給装置の一部分である供給板には、植物性固形物原料と同じ形状のいずれかの形の穴を単数又は複数に、植物性固形物原料の外形の大きさより少し大き目に穴を明けて、供給板の板厚は、植物性固形物原料の厚さより少し薄くした板厚としスライドさせる事を特徴とする、植物性固形物原料と定量供給装置。
【請求項２】
植物性固形物原料と定量供給装置に於いて、供給板のスライドは、空圧式又は油圧式又は電動式による駆動の、いずれかの方式でスライドさせる事を特徴とする、請求項１に記載の植物性固形物原料と定量供給装置。
【請求項３】
植物性固形物原料と定量供給装置に於いて、下部に定量供給部と上部にストックビン（貯蔵ビン）とを配して、ストックビン（貯蔵ビン）の外周部の適当な位置には振動発生機を単数又は複数備え、中間部に緩衝筒を設けてなる事を特徴とする、請求項１又は２に記載の植物性固形物原料と定量供給装置。